(57)【要約】【解決手段】デュプレクスプラグアダプタモジュール（１７０）は、前方端（２２４）及び後方電線受容端（２２６）を有する誘電性ハウジング（２２０）を有する。ハウジングは、第１及び第２の信号ケーブル（１８２）に機械的に結合されるよう構成されている。ハウジング内にはコンタクト（２７０）が保持される。コンタクトは、前方嵌合端（２９０）及び後方電線接続端（２９２）を有する。ハウジングは、第１及び第２信号ケーブル（１８２）により共有されたセンサプローブ（１９０）を受容するよう構成された通路（２２８）を有する。コンタクト（２７０）は、センサプローブ（１９０）及びセンサケーブル（１９２）を相互接続するよう構成されている。
2008539468.tif 000002
【特許請求の範囲】
【請求項１】
前方端（２２４）及び後方電線受容端（２２６）を有し、第１及び第２の信号ケーブル（１８２）に機械的に結合されるよう構成された誘電性ハウジング（２２０）と、該ハウジング内に保持され、前方嵌合端（２９０）及び後方電線接続端（２９２）を有するコンタクト（２７０）とを具備するデュプレクスプラグアダプタモジュール（１７０）であって、
前記ハウジングは、前記第１及び第２信号ケーブル（１８２）により共有されたセンサプローブ（１９０）を受容するよう構成された通路（２２８）を有し、
前記コンタクトは、前記センサプローブ（１９０）及びセンサケーブル（１９２）を相互接続するよう構成されていることを特徴とするデュプレクスプラグアダプタモジュール。
【請求項２】
前記通路（２２８）は、前記前方端（２２４）から前記後方端（２２６）まで延びており、
前記センサプローブ（１９０）は、前記ハウジング（２２０）の前記前方端（２２４）で前記通路（２２８）内に受容され、
前記センサケーブル（１９２）は、前記ハウジング（２２０）の前記後方端（２２６）で前記通路内に受容されることを特徴とする請求項１記載のアダプタモジュール。
【請求項３】
前記ハウジング（２２０）は、前記後方端（２２６）で管状延長部（２５２）をさらに具備し、
前記筒状延長部は、前記コンタクト（２７）及び前記センサケーブル（２９２）を受容することを特徴とする請求項１記載のアダプタモジュール。
【請求項４】
前記ハウジング（２２０）は、内部の肩（３２６）を有する室（２６０）を有し、
前記コンタクト（２７０）は、前記室内に受容されると共に本体（３０４）を有し、
該本体は、該本体から延びる翼（３１０）を有し、
該翼は、前記ハウジング（２２０）からの前記コンタクト（２７０）の引抜きを妨げるよう前記肩（３２６）に係合することを特徴とする請求項１記載のアダプタモジュール。
【請求項５】
前記ハウジング（２２０）は、内部に前記コンタクトを保持する室（２６０）と、外面から前記室まで延びる窓（２５４）を有する前記外面とを有し、
前記窓は、前記コンタクト（２７０）及び前記センサプローブ（１９０）間の電気的接続へのアクセスを提供することを特徴とする請求項１記載のアダプタモジュール。
【請求項６】
前記コンタクト（２７０）は、ピン・ソケット接続で前記センサプローブ（１９２）に接続されていることを特徴とする請求項１記載のアダプタモジュール。
【請求項７】
前記ハウジング（２２０）は、締付けアーム（２３０）及び締付けポスト（２３８）を有し、
該締付けアーム及び締付けポストは、それらの間にケーブル保持溝（２４２）を区画し、
該ケーブル保持溝は、前記第１及び第２の信号ケーブル（１８２）を受容するよう構成されていることを特徴とする請求項１記載のアダプタモジュール。
【請求項８】
前記ハウジング（２２０）は、締付けアーム（２３０）及び締付けポスト（２３８）を有し、
該締付けアーム及び締付けポストは、それらの間に前記第１及び第２の信号ケーブル（１８２）を固定するよう構成されたラッチ（２４６）を有することを特徴とする請求項１記載のアダプタモジュール。
【発明の詳細な説明】
【技術分野】
【０００１】
本発明は、ネットワーク部品に接続するコネクタモジュールに関し、より特定すると監視されたファイバプラグネットワーク接続用のアダプタに関する。
【背景技術】
【０００２】
ネットワークの部品間の接続を可能にする相互接続モジュールを使用して電子ネットワークに接続される電子部品が代表的である。相互接続モジュールは、１個のパッチパネル内、又は２個以上の別体のネットワーク部品を相互接続する任意の数の他のネットワーク構造内に保持することができる。
【０００３】
大きな電子ネットワークをより良好に作動させるために、ネットワーク内の部品間の接続を監視するセンサシステムが開発された。代表的なセンサシステムは、パッチパネル内に保持された相互接続モジュール内に一体化される。代表的な相互接続モジュールは、嵌合面に電話ジャックに似たリセプタクルジャックを有する。これらのジャックは、第１ネットワーク部品に接続されたパッチコードを受容する。各パッチコードは、一端がプラグに接続された信号電線からなる電気ケーブルを有する。プラグは、電気ケーブル内の信号電線が相互接続モジュールの後側から延びる信号コンタクトに電気接続されるように、対応するリセプタクルジャック内に受容される。信号コンタクトは、第２ネットワーク部品まで延びる第２組の信号電線に接続される。このため、相互接続モジュールは、第１及び第２のネットワーク部品を電気的に相互接続する。
【０００４】
センサシステムを有するネットワークにおいて、従来の相互接続モジュールは、プラグがリセプタクルジャックにいつ結合するかをネットワークが決定することができる別体のセンサ構造で結合されている。代表的には、センサパッドが、各リセプタクルジャックに隣接するセンサモジュールに配置され、プラグは監視システムに接続されたプローブを有する。プローブは、プラグがジャックに挿入されるとセンサと接触し、この監視システムにより接続が認識される。
【発明の開示】
【発明が解決しようとする課題】
【０００５】
電線ケーブルすなわち銅製ケーブルは導体の複数の撚り線を有するのが一般的であるのに対し、ＬＣデュプレクス配線等のファイバケーブルはケーブル毎に１本のファイバを有するのみである。デュプレクスファイバケーブルを使用する場合、１本は送信用であり１本は受信用である２本のケーブルは、接続を完了するのに必要とされる。このため、課題は、監視システムにより１個の接続のみとして認識される際に、相互接続モジュールへの２本のファイバケーブルの接続が２本の接続として認識できることである。
【課題を解決するための手段】
【０００６】
課題を解決する手段は、本明細書に開示されたデュプレクスプラグアダプタモジュールにより提供される。このアダプタモジュールは、前方端及び後方電線受容端を有する誘電性ハウジングを有する。ハウジングは、第１及び第２の信号ケーブルに機械的に結合されるよう構成されている。ハウジング内にはコンタクトが保持される。コンタクトは、前方嵌合端及び後方電線接続端を有する。ハウジングは、第１及び第２信号ケーブルにより共有されたセンサプローブを受容するよう構成された通路を有する。コンタクトは、センサプローブ及びセンサケーブルを相互接続するよう構成されている。
【発明を実施するための最良の形態】
【０００７】
以下、添付図面を参照して本発明を例示により説明する。
【０００８】
図１は、典型的な相互接続システム１００を示す斜視図である。相互接続システム１００は、公知の相互接続モジュール１０２と、本発明の典型的な一実施形態に従って形成されたプラグ組立体１０４とを有する。
【０００９】
図１において、相互接続モジュール１０２は前側１１０から見ている。相互接続モジュール１０２は、ほぼ矩形の面板１１４を有するハウジング１１２を具備する。面板１１４には受容溝１１６が形成されている。ネットワーク上にリソースへの接続を提供する複数のリセプタクルジャックを、溝１１６内に実装することができる。相互接続モジュール１００はモジュラー構造である。すなわち、異なるタイプのリセプタクルジャックを相互接続モジュール１００に実装することができる。図１において、相互接続モジュール１００は、溝１１６内に実装された１個のリセプタクルジャック１２０を有する。相互接続モジュール１００はまた、複数のセンサコンタクト１３０を有する。これらのセンサコンタクト１３０は、面板１１４からハウジング１１２を貫通するスルーホール１３６を通って相互接続モジュール１００の後側１３４まで延びる。１個の複数のスロット１３６が、受容溝１１６内に実装された各ジャック１２０に隣接して配置されている。各センサコンタクト１３０は、面板１１４と平行に整列すると共に面板１１４に近接して配置されたセンサパッド１３８を有する。各リセプタクルジャック１２０もまた、１個のセンサパッド１３８に近接して配置されているので、各リセプタクルジャック１２０は対応するセンサパッド１３８を有する。
【００１０】
相互接続モジュール１０２はまた、その側壁１５２から外方へ延びる可撓性ラッチ１５０を有する。可撓性ラッチ１５０は、保持突部１５６を分離する解放パッド１５４及び抵抗パネル１５８を有する。相互接続モジュール１０２は、パッチパネル、壁実装箱、床箱、又は任意の数の他のネットワーク接続構造（図１に図示せず）内に挿入され、ラッチ１５０の動作により内部に保持することができる。
【００１１】
プラグ組立体１０４は、アダプタモジュール１７０及び１対のプラグ１７８を有する。１対のプラグ１７８は、２個のプラグ１７８を１ユニットとして保持するアダプタモジュール１７０内に実装される。典型的な一実施形態において、プラグ１７８はファイバケーブルプラグであり、信号情報を伝える。各プラグ１７８は、典型的な一実施形態ではファイバケーブルでもよい信号ケーブル１８２に取り付けられる。デュプレクス接続において、１本は送信用であり１本は受信用である２本のケーブル１８２は、接続を形成するために必要である。アダプタモジュール１７０は、センサケーブル１９２に接続されたセンサプローブ１９０を有する。センサケーブル１９２は、ネットワーク監視システム（図示せず）に信号を提供する。典型的な一実施形態において、センサプローブ１９０は２個のプラグ１７８に共通、すなわち、センサプローブ１９０は２個のプラグ１７８により共有されるので、２個のプラグ１７８の相互接続モジュール１０２への接続は、ネットワークへの単一接続としてネットワーク監視システムによって検出される。ケーブル１８２は、例示のみであるがサーバ又は別の相互接続モジュール１０２であってもよい第１ネットワーク部品（図示せず）まで延びる。
【００１２】
リセプタクルジャック１２０はプラグ１７８を受容する。プラグ１７８がリセプタクルジャック１２０に十分に受容されると、センサプローブ１９０は対応するセンサパッド１３８に接触すると共に電気的に係合し、これにより、プラグ組立体１０４及び相互接続モジュール１０２間のいずれの方向にもセンサ信号を通すことができる。２個のファイバケーブルプラグ１７８の嵌合は、監視システムによりネットワーク上の１接続として認識される。
【００１３】
図２は、図１に示されるプラグ１７８の斜視図である。典型的な一実施形態において、プラグ１７８はファイバケーブルプラグである。各ファイバケーブルプラグ１７８はプラグハウジング２００を有する。プラグハウジング２００は、嵌合端２０２及びラッチ２０４を有する。ラッチ２０４は、相互接続モジュール１０２（図１参照）内でリセプタクルジャック１２０（図１参照）にファイバケーブルプラグ１７８をラッチする。ファイバ先端２０６は、嵌合端２０２から延びている。凹部２１０が、アダプタモジュール１７０に対してケーブルプラグ１７８を取り付けるために、プラグハウジング２００の後方部の周囲に延びる。ストレインリリーフブーツ２１４が、凹部２１０から延び、且つファイバケーブル１８２の一部を覆う。
【００１４】
図３は、アダプタモジュール１７０の斜視図である。アダプタモジュール１７０は、前方端２２４及び後方電線受容端２２６を有するハウジング２２０を有する。ハウジング２２０は、前方端２２４から後方端２２６までハウジング２２０を貫通する通路２２８を有する。センサプローブ１９０は、ハウジング２２０の前方端２２４近傍の通路２２８内に受容され、前方端から延びる。締付けアーム２３０が、前方端２２４近傍のハウジング２２０に形成されており、ハウジング２２０の両側縁２３２から延びている。締付けポスト２３８が、締付けアーム２３０間に配置されている。締付けポスト２３８及び締付けアーム２３０は、プラグハウジング２２０（図２参照）の凹部２１０を受容するケーブル保持溝２４２を区画するよう協働し、ファイバケーブルプラグ１７８を、より一般化するとファイバケーブル１８２を、アダプタモジュール１７０に機械的に結合する。締付けアーム２３０及び締付けポスト２３８は、保持溝２４２内にプラグハウジング２００を固定する保持ラッチ２４６を有する。典型的な一実施形態において、プラグハウジング２００は、スナップフィットで保持溝２４２内に受容される。
【００１５】
管状延長部２５２は、アダプタモジュール１７０の後方端２２６に形成されている。管状延長部２５２は、ハウジングの電線受容端２２６でセンサケーブル１９２（図１参照）を受容する。アダプタモジュール１７０はまた、アダプタモジュール１７０の上面２５６に通路２２８に開放するアクセス窓２５４を有する。通路２２８に形成された室２６０は、窓２５４に開放している。窓２５４は、アダプタモジュール１７０内でセンサプローブ１９０及びコンタクト２７０（図４参照）間の電気接続を試験又は故障点検のための室２６０へのアクセスを提供する。
【００１６】
図４は、アダプタモジュール１７０の分解図である。アダプタモジュール１７０は、ファイバケーブルプラグ１７８（図２参照）、ハウジング２２０及びコンタクト２７０により共有されるセンサプローブ１９０を有する。センサプローブ１９０は本体２７４を有する。本体２７４は、前方端２７６及び後方端２７８を有する。プランジャ２８０は前方端２７６から延びており、先端２８２を有する。プランジャ２８０は、本体２７４の前方端２７６から延びており、本体２７４内に入れ子状に収容される。換言すると、先端２８２上の圧力は、プランジャ２８０を本体２７４内に後退させる。本体２７４は、プランジャ２８０を延長位置に付勢する内部ばね（図示せず）を有する。
【００１７】
ハウジング２２０は、中心線Ａに沿ってハウジング２２０を貫通する通路２２８を有する。センサプローブ１９０は、ハウジングの前方端２２４から通路２２８内に受容される。締付けアーム２３０及び締付けポスト２３８は、ファイバケーブルプラグ１７８（図１及び図２参照）を受容するケーブル保持溝２４２を区画する。締付けアーム２３０及び締付けポスト２３８は、保持溝２４２内にファイバケーブルプラグ１７８を保持するよう協働することにより、ファイバケーブルプラグをハウジング２２０に機械的に結合させる。
【００１８】
コンタクト２７０は、前方嵌合端２９０及び電線接続端２９２を有する。センサケーブル１９２（図１参照）は、コンタクト２７０の接続端２９２に取り付けられる。コンタクト２７０は、管状延長部２５２を通ってハウジング２２０内に受容される。コンタクト２７０は、ハウジング２２０内でコンタクト収容室（図４に図示せず）に保持される。コンタクト２７０は、センサケーブル１９２に接続された後、ハウジング２２０内に挿入される。次に、センサプローブ１９０が、ハウジング２２０の前方端２２４を通って挿入される。そして、センサ本体２７４の後方端２７８が、コンタクト２７０の嵌合端２９０に結合される。典型的な一実施形態において、センサプローブ本体２７４の後方端２７８は、ピン・ソケット型接続で圧入により結合される。
【００１９】
図５は、コンタクト２７０の詳細な斜視図である。コンタクト接続端２９２は、ワイヤ圧着領域３００及び絶縁体圧着領域３０２を有する。コンタクト２７０は本体部３０４を有する。複数の翼３１０が本体部３０４に形成される。翼３１０は、アダプタハウジング２２０（図４参照）の内部に係合し、後述するようにハウジング２２０内にコンタクト２７０を保持する。
【００２０】
図６は、アダプタモジュール１７０の端面図である。図７は、図６の７−７線に沿ったアダプタモジュール１７０の断面図である。図６及び図７において、コンタクト２７０は、ハウジング２２０内に装填され、センサプローブ１９０に嵌合すなわち結合される。実際には、コンタクト２７０は、最初にファイバケーブル１８２に接続され、コンタクト２７０及びケーブル１８２がハウジング２２０の電線受容端２２６内に挿入される。次に、センサプローブ１９０がコンタクト２７０の嵌合端２９０に結合される。典型的な一実施形態において、コンタクト２７０及びセンサプローブ１９０は、ピン・ソケット接続で結合する。通路２２８は、前方端２２４から後方電線受容端２２６までハウジング２２０を貫通する。コンタクト収容室３２０が、後方端２２６近傍の管状延長部２５２内に形成される。コンタクト収容室３２０は、収容室３２０の前方の室２６０と同じ広がりを有する。収容室３２０及び室２６０は、コンタクト２７０を受容する。コンタクト収容室２６０は、コンタクト収容室２６０の後方縁を具備する肩３２６を有する。コンタクト２７０の翼３１０は、コンタクト２７０がハウジング２２０内に装填された後、コンタクト２７０の引抜きを妨げるために、肩３２６と拡大して係合する。センサプローブ１９０は、コンタクト２７０から分離可能であり、補修又は交換が必要な場合、除去することができる。
【００２１】
上述の実施形態は、検出してネットワーク相互接続状態を監視局すなわち制御局に報告する、監視されたネットワークシステムで使用されるアダプタモジュール１７０を提供する。アダプタモジュール１７０は、ネットワークへのデュプレクス接続が単一接続として検出されることを可能にする。プラグ１７８の２本のケーブル１８２は、アダプタモジュール１７０のハウジング２２０に機械的に結合される。アダプタモジュールは、ネットワーク監視システムに接続されたセンサケーブル１９２にセンサプローブ１９０を電気的に接続するコンタクト２７０を有する。センサプローブ１９０は、２個のファイバケーブルプラグ１７８間で共有される。
【００２２】
種々の特定実施形態で本発明を説明したが、当業者には、特許請求の範囲の真髄及び範囲内で本発明を変形して実施できることを理解されよう。
【図面の簡単な説明】
【００２３】
【図１】本発明の典型的な一実施形態に従った相互接続システムの斜視図である。
【図２】図１に示されたプラグの斜視図である。
【図３】図１に示されたアダプタモジュールの斜視図である。
【図４】図３に示されたアダプタモジュールの分解斜視図である。
【図５】図４に示されたコンタクトの斜視図である。
【図６】図３に示されたアダプタモジュールの端面図である。
【図７】図６に示されたアダプタモジュールの７−７線に沿った斜視図である。
【符号の説明】
【００２４】
１７０  デュプレクスプラグアダプタモジュール
１８２  信号ケーブル
１９０  センサプローブ
１９２  センサケーブル
２２０  誘電性ハウジング
２２４  前方端
２２６  後方端
２２８  通路
２３０  締付けアーム
２３８  締付けポスト
２４２  ケーブル保持溝
２４６  ラッチ
２５２  管状延長部
２５４  窓
２６０  室
２７０  コンタクト
２９０  前方嵌合端
２９２  後方電線接続端
３０４  本体
３１０  翼
３２６  肩
【図１】
2008539468.tif 000003
【図２】
2008539468.tif 000004
【図３】
2008539468.tif 000005
【図４】
2008539468.tif 000006
【図５】
2008539468.tif 000007
【図６】
2008539468.tif 000008
【図７】
2008539468.tif 000009
【国際調査報告】
2008539468.tif 000010
2008539468.tif 000011
2008539468.tif 000012